(57)【要約】【課題】容易な接続で外管及び内管を独立して軸心方向に移動可能とすると共に、内外管の間隙に信号ケーブル等を配設可能とした単位管の管構造を提供する。【解決手段】少なくとも内管１０Ａと外管２０Ａとを備え、長手方向に順次連結されると共に、連結された内管１０Ａ及び外管２０Ａはそれぞれ相対的に軸心方向に押し引き自在とされた単位管の管構造であって、内管１０Ａの一方端側の外周には、袋ナット４０が摺動可能に外嵌され、該袋ナット４０の内周面には、雌ネジ部４１が形成され、この雌ネジ部４１は内管１０Ａの他方端側の外周面に形成された雄ネジ部１４と螺合可能とされ、単位管の連結の際には、内管１０Ａの一方端と隣接する内管１０Ａの他方端とが嵌合されると共に、前記袋ナット４０が隣接する内管１０Ａの雄ネジ部１４に螺合される構成とする。【選択図】図１
0003120142.tif 000002
【実用新案登録請求の範囲】
【請求項１】
少なくとも内管と外管とを備え、
長手方向に順次連結されると共に、連結された内管及び外管はそれぞれ相対的に軸心方向に押し引き自在とされた単位管の管構造であって、
内管の一方端側の外周には、袋ナットが摺動可能に外嵌され、
該袋ナットの内周面には、雌ネジ部が形成され、この雌ネジ部は内管の他方端側の外周面に形成された雄ネジ部と螺合可能とされ、
単位管の連結の際には、内管の一方端と隣接する内管の他方端とが嵌合されると共に、前記袋ナットが隣接する内管の雄ネジ部に螺合される構成とされた、  
ことを特徴とする管構造。
【請求項２】
内管と外管との間に、コネクタによる差込方式の信号ケーブルが挿通された、請求項１記載の管構造。
【請求項３】
内管の軸心と外管の軸心とが偏心するように内管と外管が配設された、請求項１又は２記載の管構造。
【請求項４】
内管の一方端には凸部、他方端にはこの凸部と嵌合する凹部が形成され、これら凸部と凹部により隣接する内管と嵌合される構成とされた、請求項１乃至３のいずれか１項記載の管構造。
【請求項５】
外管同士の連結は、螺合による連結とされた、請求項１乃至４のいずれか１項記載の管構造。
【考案の詳細な説明】
【技術分野】
【０００１】
本考案は、管構造に関し、詳しくは、地盤改良用のロッド、地質調査用ロッドなどの土木用管装置における単位管の管構造に関するものである。
【背景技術】
【０００２】
内管及び外管を同心的に有する単位管を備えた土木用管装置は、たとえば地盤改良用のロッドとして多用されている。すなわち、内管内及び内外管の間隙を利用して、地盤改良材料（薬液やセメントミルクなど）、水、あるいはエアを地盤内に送給したり、排泥を地上に排出するために利用されている。
この種の単位管において、内管の接続は差込方式（嵌合接続）で、かつ外管の連結はねじ込み方式（螺合接続）が一般的である。外管の連結の場合には、これに換えてピン方式もある。また、外管及び内管が共にねじ込み方式というものもある（例えば、特許文献１参照）。
前者の二つは、内管が差込方式によるものであるから、外管及び内管を独立して軸心方向に移動させることができない構造になっている（押し引き不可能）。一方、後者は、内管もねじ込み方式であるため、外管及び内管を独立して軸心方向に移動させることができる構造となっている。
【特許文献１】特許３４０４４６８号公報
【考案の開示】
【考案が解決しようとする課題】
【０００３】
しかしながら、超高圧の切削水と圧縮空気によって地盤の切削、排泥を行い、同時に硬化材を混合撹拌して固結体を造成する高圧噴射攪拌工法、あるいは超高圧の硬化材によって地盤の切削、排泥を行いつつ、混合攪拌して固結体を造成する工法における改良域付近の地盤内圧力の計測方法を電気信号方式によって行なう場合、脱着時に左右の回転を要する外管及び内管には信号ケーブルを配設することはできないという問題があった。
そこで、本考案の主たる課題は、容易な接続で外管及び内管を独立して軸心方向に移動可能とすると共に、内外管の間隙に信号ケーブル等を配設可能とした単位管の管構造を提供することにある。
【課題を解決するための手段】
【０００４】
上記課題を解決した本考案は、次のとおりである。
＜請求項１記載の考案＞
請求項１記載の考案は、少なくとも内管と外管とを備え、長手方向に順次連結されると共に、連結された内管及び外管はそれぞれ相対的に軸心方向に押し引き自在とされた単位管の管構造であって、内管の一方端側の外周には、袋ナットが摺動可能に外嵌され、該袋ナットの内周面には、雌ネジ部が形成され、この雌ネジ部は内管の他方端側の外周面に形成された雄ネジ部と螺合可能とされ、単位管の連結の際には、内管の一方端と隣接する内管の他方端とが嵌合されると共に、前記袋ナットが隣接する内管の雄ネジ部に螺合される構成とされた、ことを特徴とする管構造である。
【０００５】
＜請求項２記載の考案＞
請求項２記載の考案は、内管と外管との間に、コネクタによる差込方式の信号ケーブルが挿通された、請求項１記載の管構造である。
【０００６】
＜請求項３記載の考案＞
請求項３記載の考案は、内管の軸心と外管の軸心とが偏心するように内管と外管が配設された、請求項１又は２記載の管構造である。
【０００７】
＜請求項４記載の考案＞
請求項４記載の考案は、内管の一方端には凸部、他方端にはこの凸部と嵌合する凹部が形成され、これら凸部と凹部により隣接する内管と嵌合される構成とされた、請求項１乃至３のいずれか１項記載の管構造である。
【０００８】
＜請求項５記載の考案＞
請求項５記載の考案は、外管同士の連結は、螺合による連結とされた、請求項１乃至４のいずれか１項記載の管構造である。
【０００９】
（作用効果）
内管の一方端側の外周には、袋ナットが摺動可能に外嵌され、該袋ナットの内周面には、雌ネジ部が形成され、この雌ネジ部は内管の他方端側の外周面に形成された雄ネジ部と螺合可能とされ、単位管の連結の際には、内管の一方端と隣接する内管の他方端とが嵌合されると共に、前記袋ナットが隣接する内管の雄ネジ部に螺合される構成とすることにより、内管の容易で確実な接続ができ、かつ連結された内管は外管に対して相対的に軸心方向に押し引き自在となる。
また、上記連結によれば、内管と外管との間に差込方式の信号ケーブルを挿通して、内管同士の連結前後においてコネクタによる連結作業が可能となる。そして、外管同士を螺合する際でも、内管や信号ケーブルも共に回転することがない。
さらに、上記連結によれば、内管の軸心と外管の軸心とが偏心するように内管と外管を配設することができ、小口径の管内部空間の有効活用が可能となる。
内管の一方端には凸部、他方端にはこの凸部と嵌合する凹部が形成され、これら凸部と凹部により隣接する内管と嵌合される構成とすることにより、内管の接続位置決めが容易で、かつ確実な接続ができる。
外管同士の連結は、螺合による連結とすることができる。
【考案の効果】
【００１０】
本考案によれば、容易な接続で外管及び内管を独立して軸心方向に移動可能とすると共に、内外管の間隙に信号ケーブル等を配設できる等の利点がもたらされる。
【考案を実施するための最良の形態】
【００１１】
以下、本考案の実施の形態を説明する。
本考案に係る単位管は、地盤改良用のロッドや地質調査用ロッドにおける先端管、中間管、基端管のうち中間管に相当し、この中間管は複数の単位管を長手方向に順次連結して構成される。この単位管は、少なくとも内管１０と外管２０とが間隙をもって組み立てられている。以下に、内管の軸心と外管の軸心とが同心となるように内管と外管を配設した実施の形態（実施形態１）と、内管の軸心と外管の軸心とが偏心するように内管と外管を配設した実施の形態（実施形態２）の説明をする。ただし、本考案はこれらに限られず、本考案の要旨の範囲内で様々な変形が可能とされるものである。
【００１２】
（実施形態１：同心状）
実施形態１について、図１乃至図６に基づき説明する。この単位管は、内管１０Ａと外管２０Ａとが間隙をもって同心状に組み立てられている。
【００１３】
内管１０Ａには、同心を保持するためにスペーサー３０が取付けられており、これによって内管１０Ａと外管２０Ａとの間隔が一定に保たれている。スペーサー３０は突起状であり、内管１０Ａの軸心を中心として外周上に所定の間隔をもって取付けられているため、内管１０Ａと外管２０Ａとの間には、地盤改良材料（薬液やセメントミルクなど）、水やエア等を送給することができ、また、排泥も排出することができる。なお、当然のことながら、内管１０Ａ内に地盤改良材料（薬液やセメントミルクなど）、水やエア等を送給し、排泥を排出してもよい。
【００１４】
図１及び図２に示すように、内管１０Ａの一方端には凸部１１が形成されており、他方端には、この凸部１１と嵌合する凹部１２が形成されている。内管１０Ａ同士の連結の際には、まずこれら凸部１１と凹部１２とを嵌合させるものである。これら凸部１１及び凹部１２は、それぞれ１以上の箇所で形成されてもよいが、図６に示すように、２箇所ずつの方が内管の接続位置決めが容易となるので好ましい。なお、凸部１１と凹部１２の形状については、図１１に示す歯形状、図１２に示す円弧形状、図１３に示す楔形状、図１４に示すスプライン歯列の嵌合形状等、様々な形状とすることができる。
【００１５】
また、内管１０Ａの一方端側の外周には、袋ナット４０が摺動可能に外嵌されている。袋ナット４０には、内管１０Ａの外周面と摺動する縮内径部分である摺動部４２が形成されている。そして、袋ナット４０が一方端側に摺動する際に、この摺動部４２の端部と内管１０Ａの一方端に形成された拡外径部分である段部１３の端部とが当接してそれ以上の移動が規制されるようになっている。
【００１６】
袋ナット４０の内周面には、雌ネジ部４１が螺刻されており、内管１０Ａの他方端側の外周面に螺刻された雄ネジ部１４と螺合可能となっている。
【００１７】
図１乃至図３に示すように、内管１０Ａの一方端側及び他方端側の外周には、それぞれ軸心を中心とした溝が形成され、これらに弾性を有するゴム、合成樹脂等からなるＯリング１５、１６が取付けられている。図４及び図６に示すように、内管１０Ａの一方端側と、これに隣接する内管１０Ａの他方端側とが接続され、袋ナット４０が隣接する内管１０Ａの雌ネジ部４１に螺合している状態では、これらＯリング１５、１６と袋ナット４０の内周が当接し液密状態を形成するようになる。
【００１８】
外管２０Ａには、その一方端に雌ネジ部２１が螺刻されており、図２に示すように、他方端に形成された雄ネジ部２２と螺合するようになっている。なお、外管２０Ａ同士の接続は、図示はしないが、ピン方式でもよい。
【００１９】
次に、この単位管の接続方法について説明する。まず、図３に示すように、内管１０Ａの一方端の凸部１１と、これに隣接する内管１０Ａの他方端の凹部１２とを嵌合させる。そして、図４に示すように、一方側の内管１０Ａの袋ナット４０を隣接する内管１０Ａの他方端側へ摺動させ移動させるとともに、袋ナット４０の雌ネジ部４１を、内管１０Ａの他方端側の外周面に螺刻された雄ネジ部１４と螺合させる。その後、図５に示すように、一方端の外管２０Ａと他方端側の外管２０Ａとを内管１０Ａに沿って移動させ、雌ネジ部２１と雄ネジ部２２とを螺合すればよい。
【００２０】
（実施形態２：偏心状）
実施形態２について、図７乃至図１０に基づき説明する。この単位管は、内管１０Ｂと外管２０Ｂとが間隙をもって偏心状に組み立てられている。
【００２１】
内管１０Ｂには、位置を保持するためにスペーサー３１が取付けられており、これによって内管１０Ｂと外管２０Ｂとの間隔が一定に保たれている。スペーサー３１は突起状であり、内管１０Ｂの軸心を中心として外周上に所定の間隔をもって取付けられているため、内管１０Ｂと外管２０Ｂとの間には、地盤改良材料（薬液やセメントミルクなど）、水、やエア等を送給することができる。スペーサー３１は前述した実施の形態のスペーサー３０とは異なり、信号ケーブル５０を内管１０Ｂと外管２０Ｂとの間に挿通させるため、図１０に示すように、内管１０Ｂの軸心と外管２０Ｂの軸心とをずらすように配設している。
【００２２】
内管１０Ｂと外管２０Ｂとの間に挿通されている信号ケーブル５０は、一方端に雄コネクタ５１、他方端に雌コネクタ５２が形成されている。なお、これに限らず、図示はしないが、雄コネクタと雄コネクタによる差込方式、雌コネクタと雌コネクタによる差込形式でもよい。信号ケーブル５０のケーブル長としては、任意の長さに設定することができる。その他の構成については、前述した実施の形態と略同様であるため、説明を省略する。
【００２３】
次に、この単位管の接続方法についてであるが、前述した実施の形態と略同様である。異なる点としては、図９に示すように、一方端の外管２０Ｂと他方端側の外管２０Ｂとを内管１０Ｂに沿って移動させ、雌ネジ部２１と雄ネジ部２２とを螺合する前に、信号ケーブル５０の雄コネクタ５１と雌コネクタ５２とを接続する必要がある点である。また、この信号ケーブル５０は、動かないようにバンドや紐等の結束部材５３，５３により結束され、内管１０Ｂに固定されている。その他については、略実施の形態と略同様であるため、説明を省略する。
【００２４】
（他の実施の形態）
上記実施の形態は、二重管の例であるが、同様に管要素（内管、及び外管、ならびに内外管内に設けられる必要数の中間管）を組み立てた三重管以上の多重管であってもよい。
【図面の簡単な説明】
【００２５】
【図１】実施形態１の管構造の一方端側の断面図である。
【図２】その他方端側の断面図である。
【図３】隣接する単位管の連結状態を説明するための断面図（１）である。
【図４】隣接する単位管の連結状態を説明するための断面図（２）である。
【図５】隣接する単位管の連結状態を説明するための断面図（３）である。
【図６】そのＩ−Ｉ断面図（横断面図）である。
【図７】実施形態２の管構造の一方端側の断面図である。
【図８】その他方端側の断面図である。
【図９】隣接する単位管の連結状態を説明するための断面図である。
【図１０】そのＩＩ−ＩＩ断面図（横断面図）である。
【図１１】内管相互の嵌合の他の例（１）である。
【図１２】内管相互の嵌合の他の例（２）である。
【図１３】内管相互の嵌合の他の例（３）である。
【図１４】内管相互の嵌合の他の例（４）である。
【符号の説明】
【００２６】
１０Ａ，１０Ｂ…内管、１１…凸部、１２…凹部、１３…段部、１４…雄ネジ部、１５，１６…Ｏリング、２０Ａ，２０Ｂ…外管、２１…雌ネジ部、２２…雄ネジ部、３０，３１…スペーサー、４０…袋ナット、４１…雌ネジ部、４２…摺動部、５０…信号ケーブル、５１…雄コネクタ、５２…雌コネクタ、５３…結束部材。
【図１】
0003120142.tif 000003
【図２】
0003120142.tif 000004
【図３】
0003120142.tif 000005
【図４】
0003120142.tif 000006
【図５】
0003120142.tif 000007
【図６】
0003120142.tif 000008
【図７】
0003120142.tif 000009
【図８】
0003120142.tif 000010
【図９】
0003120142.tif 000011
【図１０】
0003120142.tif 000012
【図１１】
0003120142.tif 000013
【図１２】
0003120142.tif 000014
【図１３】
0003120142.tif 000015
【図１４】
0003120142.tif 000016